(57)【要約】【課題】利用識別子ならびに暗証番号情報や個人情報等の盗聴を回避する無線ＬＡＮサービスを提供するとともに、当該無線ＬＡＮサービスが提供される店舗等の利用率の向上に寄与することのできる通信サービスを提供する。【解決手段】本発明に係る通信サービス提供システム１は、通信機器３に対する無線ＬＡＮサービスと、携帯電話端末２、公衆電話端末４または一般加入電話端末７１に対する電話サービスとを提供することができる。通信サービス提供システム１は、音声自動応答装置１０と、通信サービス提供サーバ２０と、データベースサーバ３０とから構成されている。【選択図】　　　図１
2004128890.tif 000002
【特許請求の範囲】
【請求項１】
電話端末の電話番号と利用識別子と暗証番号情報とを対応付けて記憶する情報記憶手段が設けられた通信サービス提供システムにおける通信サービス提供方法であって、
前記電話端末が、少なくとも前記電話端末の電話番号と前記利用識別子とを前記通信サービス提供システムに送信する処理（１）と、
前記通信サービス提供システムが、送信された前記電話端末の電話番号と前記利用識別子とを前記情報記憶手段に登録する処理（２）と、
前記通信サービス提供システムが、無線通信を介して通信ネットワークと接続される通信機器に設定される前記無線通信の設定情報を前記電話端末に通知する処理（３）と、
前記設定情報を用いて前記無線通信が可能に設定された前記通信機器が、前記電話端末の電話番号を前記通信サービス提供システムに送信する処理（４）と、
前記通信サービス提供システムが、前記処理（４）において送信された前記電話端末の電話番号と対応付けられて前記情報記憶手段に記憶されている前記利用識別子を前記通信機器に送信する処理（５）と、
前記通信機器が、前記暗証番号情報を前記通信サービス提供システムに送信する処理（６）と、
前記通信サービス提供システムが、前記処理（１）において送信された前記利用識別子と対応付けられて前記情報記憶手段に記憶されている前記暗証番号情報と前記処理（６）において送信された前記暗証番号情報との照合の結果に基づいて、前記通信機器に対して前記通信ネットワークとの接続を許可する処理（７）と、
前記通信サービス提供システムが、接続を許可された前記通信機器と前記通信ネットワークとを接続する処理（８）と
を備えたことを特徴とする通信サービス提供方法。
【請求項２】
前記処理（１）において、前記電話端末は、通信料金の請求に必要な前記通信サービス提供システムの利用希望者の決済情報を含めて前記通信サービス提供システムに送信し、
前記処理（２）において、前記通信サービス提供システムは、前記決済情報を含めて前記情報記憶手段に登録し、
前記処理（７）において、前記通信サービス提供システムは、前記処理（１）において送信された前記利用識別子と対応付けられて前記情報記憶手段に記憶されている前記暗証番号情報と前記処理（６）において送信された前記暗証番号情報との照合の結果及び前記決済情報が有効であることに基づいて、前記通信機器に対して前記通信ネットワークとの接続を許可することを特徴とする請求項１に記載の通信サービス提供方法。
【請求項３】
前記処理（７）において、前記通信サービス提供システムは、前記処理（１）において送信された前記利用識別子と対応付けられて前記情報記憶手段に記憶されている前記暗証番号情報と前記処理（６）において送信された前記暗証番号情報との照合の結果及び前記処理（１）において送信された前記利用識別子と対応付けられた前記通信サービス提供システムの利用可能度数に基づいて、前記通信機器に対して前記通信ネットワークとの接続を許可し、
前記通信サービス提供システムは、前記処理（８）によって接続した結果に応じて、前記利用可能度数を減少する処理をさらに備えることを特徴とする請求項１に記載の通信サービス提供方法。
【請求項４】
前記処理（１）において、前記通信サービス提供システムの利用希望者は、情報表示媒体が表示する前記利用識別子と前記暗証番号情報のうち、少なくとも前記利用識別子を前記電話端末に入力し、前記電話端末は、前記電話端末の電話番号と入力された前記利用識別子とを前記通信サービス提供システムに送信し、
前記処理（６）において、前記利用希望者は、前記情報表示媒体が表示する前記暗証番号情報を前記通信機器に入力し、前記通信機器は、入力された前記暗証番号情報を前記通信サービス提供システムに送信することを特徴とする請求項１に記載の通信サービス提供方法。
【請求項５】
前記処理（１）において、前記電話端末は、情報出力媒体が出力する前記利用識別子と前記暗証番号情報とを取得して、少なくとも前記電話端末の電話番号と取得した前記利用識別子とを前記通信サービス提供システムに送信し、
前記処理（６）において、前記通信機器は、前記情報出力媒体が出力する前記暗証番号情報を取得し、取得した前記暗証番号情報を前記通信サービス提供システムに送信することを特徴とする請求項１に記載の通信サービス提供方法。
【請求項６】
前記処理（７）において、前記通信機器に対して前記通信ネットワークとの接続が許可された場合、前記通信サービス提供システムが、前記通信機器を一意に識別する機器識別子を生成し、前記無線通信を介して前記機器識別子を前記通信機器に送信する処理と、
前記通信機器と前記通信ネットワークとの接続の切断後、前記通信機器が、前記機器識別子を前記通信サービス提供システムに送信した場合、前記通信サービス提供システムが、受信した前記機器識別子に基づいて前記通信機器に対して接続を許可する処理と
をさらに備えることを特徴とする請求項１に記載の通信サービス提供方法。
【請求項７】
前記電話端末が、前記利用識別子と前記暗証番号情報とを前記通信サービス提供システムに送信する処理（９）と、
前記通信サービス提供システムが、前記利用識別子と対応付けられて前記情報記憶手段に記憶されている前記暗証番号情報と前記処理（９）において送信された前記暗証番号情報との照合の結果に基づいて、前記電話端末に対して接続を許可する処理（１０）と、
前記電話端末が、通話先の電話番号を前記通信サービス提供システムに送信する処理（１１）と、
前記通信サービス提供システムが、接続を許可された前記電話端末と前記通話先の電話番号と対応付けられた電話端末とを接続する処理（１２）と
をさらに備えたことを特徴とする請求項１乃至３のいずれか一項に記載の通信サービス提供方法。
【請求項８】
前記処理（１０）において、前記通信サービス提供システムは、前記利用識別子と対応付けられて前記情報記憶手段に記憶されている前記暗証番号情報と前記処理（９）において送信された前記暗証番号情報との照合の結果及び通信料金の請求に必要な前記通信サービス提供システムの利用希望者の決済情報が有効であることに基づいて、前記電話端末に対して接続を許可することを特徴とする請求項７に記載の通信サービス提供方法。
【請求項９】
前記処理（１０）において、前記通信サービス提供システムが、前記利用識別子と対応付けられて前記情報記憶手段に記憶されている前記暗証番号情報と前記処理（９）において送信された前記暗証番号情報との照合の結果及び前記利用識別子と対応付けられた前記通信サービス提供システムの利用可能度数に基づいて、前記電話端末に対して接続を許可し、
前記通信サービス提供システムは、前記処理（１２）によって接続した結果に応じて、前記利用可能度数を減少する処理をさらに備えることを特徴とする請求項７に記載の通信サービス提供方法。
【請求項１０】
前記処理（９）において、前記通信サービス提供システムの利用希望者は、情報表示媒体が表示する前記利用識別子と前記暗証番号情報とを前記電話端末に入力し、前記電話端末は、入力された前記利用識別子と前記暗証番号情報とを前記通信サービス提供システムに送信することを特徴とする請求項７に記載の通信サービス提供方法。
【請求項１１】
前記処理（９）において、前記電話端末は、情報出力媒体が出力する前記利用識別子と前記暗証番号情報とを取得し、取得した前記利用識別子と前記暗証番号情報とを前記通信サービス提供システムに送信することを特徴とする請求項７に記載の通信サービス提供方法。
【請求項１２】
前記通信サービス提供システムは、前記通信サービス提供システムの利用希望者の前記通信機器から送信される要求に基づいて、前記利用可能度数を追加する処理をさらに備えることを特徴とする請求項３に記載の通信サービス提供方法。
【請求項１３】
前記通信サービス提供方法は、前記通信サービス提供システムの利用希望者のデータ通信が可能な電話端末から送信される要求に基づいて、前記利用可能度数を追加する処理をさらに備えることを特徴とする請求項３に記載の通信サービス提供方法。
【請求項１４】
前記通信サービス提供システムは、商業地区の施設において、前記無線通信を介して利用可能に提供され、
前記情報表示媒体は、前記商業地区の施設の運営者を介して前記通信サービス提供システムの利用希望者に配付され、
前記利用希望者は、前記商業地区の施設において、前記情報表示媒体が表示する前記利用識別子または／及び前記暗証番号情報を前記通信機器または前記電話端末に入力し、前記通信機器または前記電話端末を用いて前記通信サービス提供システムを利用することを特徴とする請求項４または１０に記載の通信サービス提供方法。
【請求項１５】
利用識別子と暗証番号情報とを対応付けて記憶する情報記憶手段が設けられた通信サービス提供システムにおける通信サービス提供方法であって、
無線通信を介して通信ネットワークと接続される通信機器が、情報表示媒体によって表示される前記利用識別子と前記暗証番号情報とを通信サービス提供システムに送信する処理（１）と、
前記通信サービス提供システムが、送信された前記利用識別子と対応付けられて前記情報記憶手段に記憶されている前記暗証番号情報と送信された前記暗証番号情報との照合の結果及び前記利用識別子と対応付けられた前記通信サービス提供システムの利用可能度数に基づいて、前記通信機器に対して前記通信ネットワークとの接続を許可する処理（２）と、
前記通信サービス提供システムが、接続を許可された前記通信機器と前記通信ネットワークとを接続する処理（３）と、
前記通信サービス提供システムが、前記処理（３）によって接続した結果に応じて、前記利用可能度数を減少する処理（４）と
を備えたことを特徴とする通信サービス提供方法。
【請求項１６】
利用識別子と暗証番号情報とを対応付けて記憶する情報記憶手段が設けられた通信サービス提供システムにおける通信サービス提供方法であって、
無線通信を介して通信ネットワークと接続される通信機器が、情報出力媒体によって出力される前記利用識別子と前記暗証番号情報とを取得し、前記利用識別子と前記暗証番号情報とを通信サービス提供システムに送信する処理（１）と、前記通信サービス提供システムが、送信された前記利用識別子と対応付けられて前記情報記憶手段に記憶されている前記暗証番号情報と送信された前記暗証番号情報との照合の結果及び前記利用識別子と対応付けられた前記通信サービス提供システムの利用可能度数に基づいて、前記通信機器に対して前記通信ネットワークとの接続を許可する処理（２）と、
前記通信サービス提供システムが、接続を許可された前記通信機器と前記通信ネットワークとを接続する処理（３）と、
前記通信サービス提供システムが、前記処理（３）によって接続された結果に応じて、前記利用可能度数を減少する処理（４）と
を備えたことを特徴とする通信サービス提供方法。
【請求項１７】
前記処理（２）において、前記通信機器に対して前記通信ネットワークとの接続が許可された場合、前記通信サービス提供システムが、前記通信機器を一意に識別する機器識別子を生成し、前記機器識別子を前記通信機器に送信する処理と、
前記通信機器と前記通信ネットワークとの接続の切断後、前記通信機器が、前記機器識別子を前記通信サービス提供システムに送信した場合、前記通信サービス提供システムが、受信した前記機器識別子に基づいて前記通信機器に対して接続を許可する処理と
をさらに備えることを特徴とする請求項１５または１６に記載の通信サービス提供方法。
【請求項１８】
電話端末が、前記利用識別子と前記暗証番号情報とを前記通信サービス提供システムに送信する処理（５）と、
前記通信サービス提供システムが、前記利用識別子と対応付けられて前記情報記憶手段に記憶されている前記暗証番号情報と前記処理（５）において送信された前記暗証番号情報との照合の結果及び前記利用可能度数に基づいて、前記電話端末に対して接続を許可する処理（６）と、
前記電話端末が、通話先の電話番号を前記通信サービス提供システムに送信する処理（７）と、
前記通信サービス提供システムが、接続が許可された前記電話端末と前記通話先の電話番号と対応付けられた電話端末とを接続する処理（８）と、
前記通信サービス提供システムが、前記処理（８）によって接続した結果に応じて、前記利用可能度数を減少する処理（９）と
をさらに備えたことを特徴とする請求項１５または１６に記載の通信サービス提供方法。
【請求項１９】
前記通信サービス提供システムは、前記通信サービス提供システムの利用希望者の前記通信機器から送信される要求に基づいて、前記利用可能度数を追加する処理をさらに備えることを特徴とする請求項１５または１６に記載の通信サービス提供方法。
【請求項２０】
前記通信サービス提供システムは、前記通信サービス提供システムの利用希望者のデータ通信が可能な電話端末から送信される要求に基づいて、前記利用可能度数を追加する処理をさらに備えることを特徴とする請求項１５または１６に記載の通信サービス提供方法。
【請求項２１】
前記通信サービス提供システムは、商業地区の施設において、前記無線通信を介して利用可能に提供され、
前記情報表示媒体は、前記商業地区の施設の運営者を介して前記通信サービス提供システムの利用希望者に配付され、
前記利用希望者は、前記商業地区の施設において、前記情報表示媒体が表示する前記利用識別子または／及び前記暗証番号情報を前記通信機器または前記電話端末に入力し、前記通信機器または前記電話端末を用いて前記通信サービス提供システムを利用することを特徴とする請求項１５または１６に記載の通信サービス提供方法。
【請求項２２】
電話端末の電話番号と利用識別子と暗証番号情報とを対応付けて記憶する情報記憶手段と、
前記電話端末の電話番号と前記利用識別子と前記暗証番号情報とを前記電話端末から受信して前記情報記憶手段に登録する情報受信登録手段と、
無線通信を介して通信ネットワークと接続される通信機器に設定する前記無線通信の設定情報を前記電話端末に通知する設定情報通知手段と、
前記設定情報を用いて前記無線通信が可能に設定された前記通信機器から、前記電話端末の電話番号を受信し、前記電話端末の電話番号と対応付けられて前記情報記憶手段に記憶されている前記利用識別子を前記通信機器に送信する通信手段と、
前記暗証番号情報を前記通信機器から受信し、受信した前記利用識別子と対応付けられて前記情報記憶手段に記憶されている前記暗証番号情報と受信した前記暗証番号情報との照合の結果に基づいて、前記通信機器に対して前記通信ネットワークとの接続を許可する接続許可手段と、
接続を許可された前記通信機器と前記通信ネットワークとを接続する接続手段と
を備えたことを特徴とする通信サービス提供システム。
【請求項２３】
前記情報受信登録手段は、通信料金の請求に必要な前記通信サービス提供システムの利用希望者の決済情報を含めて前記電話端末から受信して前記決済情報を登録し、
前記接続許可手段は、受信した前記利用識別子と対応付けられて前記情報記憶手段に記憶されている前記暗証番号情報と受信した前記暗証番号情報との照合の結果及び前記決済情報が有効であることに基づいて、前記通信機器に対する接続を許可することを特徴とする請求項２２に記載の通信サービス提供システム。
【請求項２４】
前記通信サービス提供システムは、前記利用識別子と対応付けられた利用可能度数を管理する度数管理手段をさらに備え、
前記接続許可手段は、受信した前記利用識別子と対応付けられて前記情報記憶手段に記憶されている前記暗証番号情報と受信した前記暗証番号情報との照合の結果及び前記度数管理手段が管理する前記利用可能度数とに基づいて、前記通信機器に対して接続を許可し、
前記度数管理手段は、前記接続手段が接続した結果に応じて、前記利用可能度数を減少することを特徴とする請求項２２に記載の通信サービス提供システム。
【請求項２５】
前記通信サービス提供システムは、前記接続許可手段が前記通信機器に対して接続を許可した場合には、前記通信機器を一意に識別する機器識別子を生成し、前記機器識別子を前記通信機器に対して送信する機器識別子送信手段をさらに備え、
前記接続許可手段は、前記通信手段が前記通信機器から前記機器識別子を受信した場合には、受信した前記機器識別子を用いて前記通信機器に対して接続を許可することを特徴とする請求項２２に記載の通信サービス提供システム。
【請求項２６】
前記通信サービス提供システムは、前記利用識別子を電話端末から受信する通話情報受信手段と、
前記暗証番号情報を前記電話端末から受信し、前記利用識別子と対応付けられて前記情報記憶手段に記憶されている前記暗証番号情報と受信した前記暗証番号情報との照合の結果に基づいて、前記電話端末に対して接続を許可する通話接続許可手段と、
通話先の電話番号を前記電話端末から受信し、前記電話端末と前記通話先の電話番号と対応付けられた電話端末とを接続する通話接続手段と
をさらに備えたことを特徴とする請求項２２に記載の通信サービス提供システム。
【請求項２７】
前記通信サービス提供システムは、前記利用識別子を電話端末から受信する通話情報受信手段と、
前記暗証番号情報を前記電話端末から受信し、前記利用識別子と対応付けられて前記情報記憶手段に記憶されている前記暗証番号情報と受信した前記暗証番号情報との照合の結果及び前記決済情報が有効であることに基づいて、前記電話端末に対して接続を許可する通話接続許可手段と、
通話先の電話番号を前記電話端末から受信し、前記電話端末と前記通話先の電話番号と対応付けられた電話端末とを接続する通話接続手段と
をさらに備えたことを特徴とする請求項２３に記載の通信サービス提供システム。
【請求項２８】
前記通信サービス提供システムは、前記利用識別子を電話端末から受信する通話情報受信手段と、
前記暗証番号情報を前記電話端末から受信し、前記利用識別子と対応付けられて前記情報記憶手段に記憶された前記暗証番号情報と受信した前記暗証番号情報との照合の結果及び前記利用可能度数に基づいて、前記電話端末に対して接続を許可する通話接続許可手段と、
通話先の電話番号を前記電話端末から受信し、前記電話端末と前記通話先の電話番号と対応付けられた電話端末とを接続する通話接続手段と
をさらに備え、
前記度数管理手段は、前記通話接続手段が接続した結果に応じて、前記利用可能度数を減少することすることを特徴とする請求項２４に記載の通信サービス提供システム。
【発明の詳細な説明】
【０００１】
【発明の属する技術分野】
本発明は、通信ネットワークへの接続サービスや電話サービスを提供する通信サービス提供システム及び通信サービス提供方法に関する。特に、本発明は商業施設において、通信ネットワークへの接続サービスや電話サービスを提供する通信サービス提供システム及び通信サービス提供方法に関する。
【０００２】
【従来の技術】
昨今においては、インターネットの普及やパーソナル・コンピュータ（ＰＣ）、携帯情報端末（ＰＤＡ）、携帯電話端末等の小型・高性能化により、利用者が、いつでもどこでもインターネット等の通信ネットワークにアクセスすることができる、いわゆるユビキタス・ネットワークが実現されてきている。
【０００３】
このユビキタス・ネットワークを実現する一つの要素として、飲食店の店舗等において、無線ＬＡＮをユーザへのアクセス回線として用いた無線ＬＡＮサービスが提供されている。
【０００４】
このような無線ＬＡＮサービスでは、ネットワークを利用した不法行為の抑制の観点ならびに通信料金の請求を目的として、ユーザのクレジットカード番号や個人情報を取得することが一般的である。
【０００５】
【非特許文献１】
ホットスポットサービスの実用度、「日経コミュニケーション２００２年４月１５日号」、日経ＢＰ社、ｐ．１２０−１２７
【０００６】
【発明が解決しようとする課題】
しかしながら、上述した従来の無線ＬＡＮサービスでは、無線通信方式を採用しているため、伝送される信号は暗号化処理されるものの無線ＬＡＮ基地局の成りすまし、いわゆるＢａｓｅ　Ｓｔａｔｉｏｎ　Ｓｐｏｏｆｉｎｇ等によって、サービスを利用するための利用識別子ならびに暗証番号情報や個人情報が盗聴される危険があった。
【０００７】
このような盗聴の危険を回避するためには、ユーザが、自身の個人情報や通信料金の請求に必要なクレジットカード番号等の情報を予め他の方法（例えば有線通信方式によって接続されるＰＣからのアクセス）によって当該無線ＬＡＮサービスの提供者に登録しておくことが考えられる。
【０００８】
しかしながら、上述のような方法では、ユーザが、無線ＬＡＮサービスの利用可能な飲食店等を利用した際に当該サービスの利用を希望しても、提供者に対する登録がなされていない場合には、当該サービスを利用できないという問題があった。
【０００９】
このような従来の無線ＬＡＮサービスは、使い勝手が著しく悪く、利用の拡大を阻む原因ともなっていた。また、このような使い勝手の悪さから、従来の無線ＬＡＮサービスは、店舗等の利用率の向上に対する寄与も小さく、より利用率の向上に寄与する通信サービスの提供が課題となっていた。
【００１０】
そこで、本発明は以上の点に鑑みてなされたもので、利用識別子ならびに暗証番号情報や個人情報等の盗聴を回避する無線ＬＡＮサービスを提供するとともに、当該無線ＬＡＮサービスが提供される店舗等の利用率の向上に寄与することのできる通信サービスを提供することをその目的とする。
【００１１】
【課題を解決するための手段】
本発明の第１の特徴は、電話端末の電話番号と利用識別子と暗証番号情報とを対応付けて記憶する情報記憶手段が設けられたおり、電話端末が、少なくとも電話端末の電話番号と利用識別子とを通信サービス提供システムに送信し、通信サービス提供システムが送信された電話端末の電話番号と利用識別子とを情報記憶手段に登録し、通信サービス提供システムが無線通信を介して通信ネットワークと接続される通信機器に設定される無線通信の設定情報を電話端末に通知し、設定情報を用いて無線通信が可能に設定された通信機器が電話端末の電話番号を通信サービス提供システムに送信し、通信サービス提供システムが通信機器によって送信された電話端末の電話番号と対応付けられて情報記憶手段に記憶されている利用識別子を通信機器に送信し、通信機器が暗証番号情報を通信サービス提供システムに送信し、通信サービス提供システムが電話端末によって送信された利用識別子と対応付けられて情報記憶手段に記憶されている暗証番号情報と通信機器によって送信された送信された暗証番号情報との照合の結果に基づいて通信機器に対して通信ネットワークとの接続を許可し、通信サービス提供システムが接続を許可された通信機器と通信ネットワークとを接続することを要旨とする。
【００１２】
かかる特徴によれば、電話端末が、電話番号を通信サービス提供システムに送信するため、電話番号の契約者情報に基づいて、ユーザを特定することができる。
【００１３】
かかる特徴によれば、通信サービス提供システムが利用識別子を送信し、通信機器が、その利用識別子に対応する暗証番号情報を送信するため、通信機器から送信される情報の盗聴が可能な無線ＬＡＮサービスの基地局の成りすましによる利用識別子と暗証番号情報との双方の盗聴を回避することができる。
【００１４】
本発明の第２の特徴は、本発明の第１の特徴において、電話端末が通信料金の請求に必要な通信サービス提供システムの利用希望者の決済情報を含めて通信サービス提供システムに送信し、通信サービス提供システムが決済情報を含めて情報記憶手段に登録し、通信サービス提供システムが電話端末によって送信された利用識別子と対応付けられて情報記憶手段に記憶されている暗証番号情報と通信機器によって送信された暗証番号情報との照合の結果及び決済情報が有効であることに基づいて通信機器に対して通信ネットワークとの接続を許可することを要旨とする。
【００１５】
かかる特徴によれば、電話端末が、通信料金の請求に必要な通信サービス提供システムの利用希望者の決済情報を含めて通信サービス提供システムに送信するため、盗聴の危険がある無線ＬＡＮを利用せずにユーザのクレジットカード番号等の決済情報を取得することができる。
【００１６】
本発明の第３の特徴は、本発明の第１の特徴において、さらに、通信サービス提供システムが電話端末によって送信された利用識別子と対応付けられて情報記憶手段に記憶されている暗証番号情報と通信機器によって送信された暗証番号情報との照合の結果及び電話端末によって送信された利用識別子と対応付けられた通信サービス提供システムの利用可能度数に基づいて通信機器に対して通信ネットワークとの接続を許可し、通信サービス提供システムが接続した結果に応じて利用可能度数を減少することを要旨とする。
【００１７】
かかる特徴によれば、通信サービス提供システムが、通信機器と通信ネットワークとの接続の結果に応じて、利用識別子に対応付けられた利用可能度数を減少するため、サービスの利用に伴う料金を確実に徴収することができる。
【００１８】
本発明の第４の特徴は、本発明の第１の特徴において、通信サービス提供システムの利用希望者が情報表示媒体によって表示される利用識別子と暗証番号情報のうち少なくとも利用識別子を電話端末に入力し、電話端末が電話端末の電話番号と入力された利用識別子とを通信サービス提供システムに送信し、利用希望者が情報表示媒体によって表示される暗証番号情報を通信機器に入力し、通信機器は入力された暗証番号情報を通信サービス提供システムに送信することを要旨とする。
【００１９】
かかる特徴によれば、情報表示媒体が利用識別子と暗証番号情報とを表示するため、ユーザは、容易にサービスの利用に必要な利用識別子と暗証番号情報とを取得することができる。
【００２０】
本発明の第５の特徴は、本発明の第１の特徴において、電話端末が情報出力媒体によって出力される利用識別子と暗証番号情報とを取得して少なくとも電話端末の電話番号と取得した利用識別子とを通信サービス提供システムに送信し、通信機器が情報出力媒体によって出力される暗証番号情報を取得し、取得した暗証番号情報を通信サービス提供システムに送信することを要旨とする。
【００２１】
かかる特徴によれば、情報出力媒体が利用識別子と暗証番号情報とを出力するため、ユーザは、容易にサービスの利用に必要な利用識別子と暗証番号情報とを取得することができる。
【００２２】
本発明の第６の特徴は、本発明の第１の特徴において、通信機器に対して通信ネットワークとの接続が許可された場合、通信サービス提供システムが通信機器を一意に識別する機器識別子を生成し、無線通信を介して機器識別子を通信機器に送信し、通信機器と通信ネットワークとの接続の切断後、通信機器が機器識別子を通信サービス提供システムに送信した場合、通信サービス提供システムが受信した機器識別子に基づいて通信機器に対して接続を許可するを要旨とする。
【００２３】
かかる特徴によれば、通信サービス提供システムが、受信した機器識別子に基づいて通信機器に対して接続を許可するため、利用識別子や暗証番号情報の送信が不要となり、ユーザのサービスの利用に伴う手続が簡略化されるとともに、無線ＬＡＮ基地局の成りすましによる暗証番号情報の盗聴を回避することができる。
【００２４】
本発明の第７の特徴は、本発明の第１乃至第３の特徴において、さらに、電話端末が利用識別子と暗証番号情報とを通信サービス提供システムに送信し、通信サービス提供システムが利用識別子と対応付けられて情報記憶手段に記憶されている暗証番号情報と電話端末によって送信された暗証番号情報との照合の結果に基づいて電話端末に対して接続を許可し、電話端末が通話先の電話番号を通信サービス提供システムに送信し、通信サービス提供システムが接続を許可された電話端末と通話先の電話番号と対応付けられた電話端末とを接続することを要旨とする。
【００２５】
かかる特徴によれば、ユーザは、無線ＬＡＮサービスと電話サービスの双方を同一の利用識別子と暗証番号情報とにより利用することができる。
【００２６】
本発明の第８の特徴は、本発明の第７の特徴において、通信サービス提供システムが利用識別子と対応付けられて情報記憶手段に記憶されている暗証番号情報と電話端末によって送信された暗証番号情報との照合の結果及び通信料金の請求に必要な通信サービス提供システムの利用希望者の決済情報が有効であることに基づいて電話端末に対して接続を許可することを要旨とする。
【００２７】
本発明の第９の特徴は、本発明の第７の特徴において、さらに、通信サービス提供システムが利用識別子と対応付けられて情報記憶手段に記憶されている暗証番号情報と電話端末によって送信された暗証番号情報との照合の結果及び利用識別子と対応付けられた通信サービス提供システムの利用可能度数に基づいて電話端末に対して接続を許可し、通信サービス提供システムが接続した結果に応じて利用可能度数を減少することを要旨とする。
【００２８】
かかる特徴によれば、通信サービス提供システムが、電話端末と通信ネットワークとの接続の結果に応じて、利用識別子に対応付けられた利用可能度数を減少するため、サービスの利用に伴う料金を確実に徴収することができる。
【００２９】
本発明の第１０の特徴は、本発明の第７の特徴において、通信サービス提供システムの利用希望者が情報表示媒体が表示する利用識別子と暗証番号情報とを電話端末に入力し、電話端末が入力された利用識別子と暗証番号情報とを通信サービス提供システムに送信することを要旨とする。
【００３０】
かかる特徴によれば、情報表示媒体が利用識別子と暗証番号情報とを表示するため、ユーザは、容易にサービスの利用に必要な利用識別子と暗証番号情報とを取得することができる。
【００３１】
本発明の第１１の特徴は、本発明の第７の特徴において、電話端末が情報出力媒体によって出力される利用識別子と暗証番号情報とを取得し、取得した利用識別子と暗証番号情報とを通信サービス提供システムに送信することを要旨とする。
【００３２】
かかる特徴によれば、情報出力媒体が利用識別子と暗証番号情報とを出力するため、ユーザは、容易にサービスの利用に必要な利用識別子と暗証番号情報とを取得することができる。
【００３３】
本発明の第１２の特徴は、本発明の第３の特徴において、さらに、通信サービス提供システムが通信サービス提供システムの利用希望者の通信機器から送信される要求に基づいて利用可能度数を追加することを要旨とする。
【００３４】
本発明の第１３の特徴は、本発明の第３の特徴において、通信サービス提供方法が通信サービス提供システムの利用希望者のデータ通信が可能な電話端末から送信される要求に基づいて利用可能度数を追加することを要旨とする。
【００３５】
かかる特徴によれば、通信サービス提供システムが、利用希望者の通信機器またはデータ通信が可能な電話端末から送信される要求に基づいて、利用識別子に対応付けられた利用可能度数を追加するため、ユーザは、サービスの利用に伴う通信料金の精算に必要な金額を予め預けておくことができる。
【００３６】
本発明の第１４の特徴は、本発明の第４または第１０の特徴において通信サービス提供システムが商業地区の施設において、無線通信を介して利用可能に提供され、情報表示媒体が商業地区の施設の運営者を介して通信サービス提供システムの利用希望者に配付され、利用希望者が商業地区の施設において情報表示媒体が表示する利用識別子または／及び暗証番号情報を通信機器または電話端末に入力し、通信機器または電話端末を用いて通信サービス提供システムを利用することを要旨とする。
【００３７】
かかる特徴によれば、ユーザが、商業地区の施設において通信サービス提供システムを利用するため、当該施設の利用率の向上に寄与することができる。
【００３８】
【発明の実施の形態】
（本実施形態に係る通信サービス提供システムを含むネットワークの全体構成）本発明の実施形態について図面を参照しながら説明する。図１は、第１の実施形態に係る通信サービス提供システムを含むネットワークの全体構成図である。
【００３９】
同図に示すように、通信サービス提供システム１は、音声自動応答装置１０と、通信サービス提供サーバ２０と、データベースサーバ３０とから構成されている。音声自動応答装置１０と通信サービス提供サーバ２０とデータベースサーバ３０とは、相互に通信が可能に接続されている。
【００４０】
携帯電話端末２は、ユーザの使用する携帯電話端末であり、本実施形態では、データ通信機能を備えているものである。また、携帯電話端末２は、携帯電話網４０の基地局４１及び携帯電話網４０及びを介して音声自動応答装置１０と接続することができる。
【００４１】
通信機器３は、ユーザの使用する通信機器であり、本実施形態では、飲食店等の店舗６に設置される無線ＬＡＮ基地局５１を介して通信を行うものである。なお、通信機器３としては、例えば無線通信が可能なパーソナル・コンピュータや携帯情報端末（ＰＤＡ）を用いることができる。
【００４２】
無線ＬＡＮ基地局５１は、メタリック回線を用いて高速なディジタル通信を行うＡＤＳＬモデム５２と接続される。無線ＬＡＮ基地局５１は、例えばＩＥＥＥ８０２．１１ｂにおいて規定される無線ＬＡＮ方式に準拠した２．４ＧＨｚ帯の無線ＬＡＮ通信を提供することのできる基地局装置である。
【００４３】
ＡＤＳＬモデム５２は、無線ＬＡＮサービスを提供するためのネットワークである通信サービス網５０と接続される。ＡＤＳＬモデム５２は、例えばＩＴＵ−Ｔ　Ｇ．９９２．１や同９９２．２に準拠したＡＤＳＬモデムである。なお、ＡＤＳＬモデム５２に代えて、メディア・コンバータ等を用いて光ファイバー回線と接続する形態を採ることもできる。
【００４４】
また、ＡＤＳＬモデム５２は、本実施形態では、ＡＤＳＬモデム５２を介して無線ＬＡＮ基地局５１を接続するとともに、電話サービスを提供するために店舗６に設置される公衆電話端末４を接続する機能を有している。なお、店舗６は、飲食店等に限らず、例えばホテルのロビー、鉄道の駅構内、空港ロビー等であってもよい。
【００４５】
上述のような構成により、通信機器３は、店舗６に設置される無線ＬＡＮ基地局５１を介して通信サービス提供サーバ２０と接続することができる。
【００４６】
また、店舗６の近傍には、通信機器３から無線ＬＡＮ基地局５１に対して送信される情報を盗聴するために擬似の無線ＬＡＮ基地局５３が設置される場合がある。具体的には、擬似の無線ＬＡＮ基地局５３は、無線ＬＡＮ基地局５１及び通信サービス提供サーバ２０と同様の装置・サーバを自動車等に搭載し、通信機器３から送信される情報を店舗６の近傍において盗聴する。
【００４７】
次に、通信サービス提供システム１側の構成を説明する。
【００４８】
与信管理サーバ６０は、ユーザのクレジットカード番号及び当該ユーザの通信サービスの利用に伴う通信料金データをデータベースサーバ３０から受信し、クレジットカード会社に対して当該通信料金データを送信するものである。
【００４９】
電話網７０は、電話サービスを提供するためのネットワークであり、本実施形態では、音声自動応答装置１０と接続されている。また、電話網７０には一般加入電話端末７１が接続されている。一般加入電話端末７１は、電話網７０を介して携帯電話端末２や公衆電話端末４と通信を行うことができる。なお、電話網７０としては、回線交換方式を利用した公衆電話回線網（ＰＳＴＮ）またはＶｏＩＰ技術を利用したＩＰ電話網を用いることができる。
【００５０】
インターネット５は、ＴＣＰ／ＩＰを基盤としたネットワークであり、ＷＷＷ、電子メール、ネットニュース、Ｔｅｌｎｅｔ、ＦＴＰ等の各種サービスが利用できるものである。
【００５１】
次に、図２を参照して、本実施形態に係る通信サービス提供システム１の構成について説明する。図２は、本実施形態に係る通信サービス提供システム１を構成する音声自動応答装置１０と通信サービス提供サーバ２０とデータベースサーバ３０との構成を示すブロック図である。
【００５２】
本実施形態に係る通信サービス提供システム１は、通信機器３に対する無線ＬＡＮサービスと、携帯電話端末２、公衆電話端末４または一般加入電話端末７１に対する電話サービスとを提供することができる。
【００５３】
音声自動応答装置１０は、ネットワークＩＦ部１１と、回線ＩＦ部１２、情報受信登録部１３と、設定情報通知部１４と、通話接続許可部１５、通話接続部１６とから構成されている。
【００５４】
ネットワークＩＦ部１１は、通信サービス提供サーバ２０及びデータベースサーバ３０との間においてＬＡＮ通信を行う機能を有している。また、ネットワークＩＦ部１１は、情報受信登録部１３と、設定情報通知部１４と、通話接続許可部１５と、通話接続部１６とにそれぞれ接続されている。
【００５５】
ネットワークＩＦ部１１には、例えばＩＥＥＥ８０２．３ｕにおいて規定される１００Ｂａｓｅ−ＴＸや同８０２．３ａｂにおいて規定される１０００Ｂａｓｅ−Ｔ等を用いることができる。
【００５６】
回線ＩＦ部１２は、携帯電話網４０との回線及び電話網７０との回線を接続するものである。また、回線ＩＦ部１２は、回線の使用率等に応じて接続する回線を増設することができる。
【００５７】
情報受信登録部１３は、本実施形態では、携帯電話端末２の電話番号と、無線ＬＡＮサービスを利用するために必要となる利用識別子と、パスワードとを携帯電話端末２から受信してデータベースサーバ３０に登録する情報受信登録手段を構成する。
【００５８】
具体的には、情報受信登録部１３は、発信者番号通知を用いることにより携帯電話端末２の電話番号を回線ＩＦ部１２に接続された回線を介して受信することができる。
【００５９】
また、情報受信登録部１３は、利用識別子ならびにパスワードの入力等を促すトーキーを回線ＩＦ部１２に接続された回線を介して送信する機能を有している。さらに、情報受信登録部１３は、送信されたトーキーに従って、携帯電話端末２より送信されるＰＢ信号を受信し、そのＰＢ信号から利用識別子ならびにパスワードを取得することができる。
【００６０】
また、情報受信登録部１３は、受信した電話番号と、利用識別子と、パスワードとをデータベースサーバ３０に登録することができる。
【００６１】
さらに、本実施形態に係る情報受信登録部１３は、ユーザの決済情報であるクレジットカード番号を、電話番号と利用識別子とパスワードとに併せて受信することができる。
【００６２】
なお、情報受信登録部１３に対して電話番号を通知するために用いられる電話端末は、電話番号に基づく契約情報からユーザを特定できる電話端末であればよく、例えば一般加入電話端末７１であってもよい。
【００６３】
設定情報通知部１４は、本実施形態では、無線ＬＡＮを介してインターネット５と接続される通信機器３に対して設定される無線ＬＡＮの設定情報を、携帯電話端末２に通知する設定情報通知手段を構成する。
【００６４】
具体的には、設定情報通知部１４は、データベースサーバ３０に記憶されている通信機器３と無線ＬＡＮ基地局５１との間において通信を行うために必要な設定情報をトーキーとして、回線ＩＦ部１２に接続された回線を介して携帯電話端末２に通知するものである。
【００６５】
携帯電話端末２に通知される情報としては、例えば無線ＬＡＮ基地局５１の識別情報であるＥＳＳ−ＩＤ（Ｅｘｔｅｎｄｅｄ　Ｓｅｒｖｉｃｅ　Ｓｅｔ−Ｉｄｅｎｔｉｆｙ）や、通信機器３と無線ＬＡＮ基地局５１との通信の暗号化に用いられるＷＥＰキーがある。
【００６６】
通話接続許可部１５は、本実施形態では、利用識別子を公衆電話端末４から受信する通話情報受信手段を構成する。
【００６７】
また、通話接続許可部１５は、本実施形態では、公衆電話端末４からパスワードを受信し、利用識別子と対応付けられてデータベースサーバ３０に記憶されたパスワードと、受信したパスワードとの照合の結果に基づいて、当該電話端末に対して接続を許可する通話接続許可手段を構成する。
【００６８】
具体的には、通話接続許可部１５は、公衆電話端末４から回線ＩＦ部１２を介して利用識別子とパスワードとを受信するものである。さらに、通話接続許可部１５は、受信した利用識別子に対応するパスワードをデータベースサーバ３０から取得し、取得したパスワードと、公衆電話端末４から受信したパスワードとを照合する機能を有している。
【００６９】
なお、通話接続許可部１５に接続される電話端末は、公衆電話端末４に代えて、例えば携帯電話端末２や一般加入電話端末７１であってもよい。
【００７０】
通話接続許可部１５は、パスワードの照合結果が一致した場合には、通話接続部１６に接続を指示する。一方、通話接続許可部１５は、パスワードの照合結果が一致しない場合には、利用識別子またはパスワードが誤っている旨のトーキーを公衆電話端末４に送信する。
【００７１】
また、通話接続許可部１５は、上述したパスワードの照合結果に加え、データベースサーバ３０に記憶されているユーザのクレジットカード番号または通信サービス提供システム１の利用可能度数に基づいて接続を許可することができる。
【００７２】
通話接続部１６は、本実施形態では、通話先の電話番号を公衆電話端末４から受信し、公衆電話端末４と通話先の電話番号と対応付けられた一般加入電話端末７１とを接続する通話接続手段を構成する。
【００７３】
具体的には、通話接続部１６は、通話接続許可部１５からの接続の指示に基づいて、公衆電話端末４から通話先の電話番号をＰＢ信号によって受信し、公衆電話端末４と通話先の電話端末とを接続するものである。
【００７４】
また、通話接続部１６は、利用識別子と、公衆電話端末４ならびに通信先の電話番号と、公衆電話端末４と通話先の電話端末との接続を継続した時間とを通信サービス提供サーバ２０に送信することができる。
【００７５】
通信サービス提供サーバ２０は、ネットワークＩＦ部２１と、情報送受信部２２と、ネットワーク接続許可部２３と、機器識別子送信部２４と、接続部２５と、度数管理部２６と、ユーザ情報取得部２７とから構成されている。
【００７６】
ネットワークＩＦ部２１は、音声自動応答装置１０及びデータベースサーバ３０との間においてＬＡＮ通信を行う機能を有している。また、ネットワークＩＦ部２１は、情報送受信部２２と、ネットワーク接続許可部２３と、接続部２５と、度数管理部２６とにそれぞれ接続されている。
【００７７】
ネットワークＩＦ部２１には、例えばＩＥＥＥ８０２．３ｕにおいて規定される１００Ｂａｓｅ−ＴＸや同８０２．３ａｂにおいて規定される１０００Ｂａｓｅ−Ｔ等を用いることができる。
【００７８】
情報送受信部２２は、本実施形態では、無線ＬＡＮの設定情報を用いて無線ＬＡＮ通信が可能に設定された通信機器３から携帯電話端末２の電話番号を受信し、その電話番号と対応付けられてデータベースサーバ３０に記憶されている利用識別子を通信機器３に送信する通信手段を構成する。
【００７９】
具体的には、情報送受信部２２は、通信機器３から携帯電話端末２の電話番号を受信する。さらに、情報送受信部２２は、携帯電話端末２の電話番号と対応付けられている利用者識別子をデータベースサーバ３０から取得し、取得した利用識別子を通信機器３に送信する。また、情報送受信部２２は、通信機器３に送信した利用者識別子をネットワーク接続許可部２３に送信する。
【００８０】
また、情報送受信部２２は、通信機器３から利用識別子ならびにパスワードを受信することができる。
【００８１】
ネットワーク接続許可部２３は、本実施形態では、パスワードを通信機器３から受信し、利用識別子と対応付けられてデータベースサーバ３０に記憶されているパスワードと受信したパスワードとの照合の結果に基づいて、通信機器３に対してインターネット５との接続を許可する接続許可手段を構成する。
【００８２】
具体的には、ネットワーク接続許可部２３は、情報送受信部２２から受信した利用識別子に対応付けられて記憶されているパスワードをデータベースサーバ３０から取得する。
【００８３】
また、ネットワーク接続許可部２３は、通信機器３からパスワードを受信する。さらに、ネットワーク接続許可部２３は、データベースサーバ３０から取得したパスワードと、通信機器３から受信したパスワードを照合する。
【００８４】
ネットワーク接続許可部２３は、パスワードの照合結果が一致した場合には、接続部２５に通信機器３とインターネット５との接続を指示するとともに当該利用識別子を送信する。一方、ネットワーク接続許可部２３は、パスワードの照合結果が一致しない場合には、利用識別子またはパスワードが誤っている旨のメッセージを通信機器３に送信することができる。
【００８５】
また、ネットワーク接続許可部２３は、上述したパスワードの照合結果に加え、データベースサーバ３０に記憶されているユーザのクレジットカード番号または通信サービスの利用可能度数に基づいて接続を許可することができる。
【００８６】
機器識別子送信部２４は、本実施形態では、ネットワーク接続許可部２３が通信機器３に対して接続を許可した場合には、通信機器を一意に識別する機器識別子を生成し、生成した機器識別子を通信機器３に対して送信する機器識別子送信手段を構成する。
【００８７】
具体的には、機器識別子送信部２４は、ネットワーク接続許可部２３が接続部２５に対して通信機器３とインターネット５との接続を指示した場合、通信機器３を識別する文字列情報を生成する。さらに、機器識別子送信部２４は、生成された文字列情報を通信機器３にネットワーク接続許可部２３を介して送信するものである。また、機器識別子送信部２４は、通信機器３に送信する文字列情報を一定の周期で変更することができる。
【００８８】
なお、通信機器３から文字列情報を受信した場合、情報送受信部２２は、当該文字列情報をネットワーク接続許可部２３に送信する。
【００８９】
ネットワーク接続許可部２３は、受信した当該文字列情報と、機器識別子送信部２４が通信機器３に送信した文字列情報とを照合し、照合の結果が一致した場合、接続部２５に接続を指示する。また、ネットワーク接続許可部２３は、利用識別子と機器識別子送信部２４が生成した機器識別子を対応付けて記憶することができる。
【００９０】
また、上述のような文字列情報による通信機器３の特定は、ＷＷＷサーバとブラウザとの間において送受されるＣｏｏｋｉｅを用いることにより実現することができる。
【００９１】
接続部２５は、本実施形態では、接続を許可された通信機器３とインターネット５とを接続する接続手段を構成する。
【００９２】
具体的には、接続部２５は、ネットワーク接続許可部２３からの指示に基づいて、通信機器３とインターネット５とを接続するものである。
【００９３】
また、接続部２５は、通信機器３とインターネット５とを接続した場合には、ネットワーク接続許可部２３から受信した利用識別子を度数管理部２６に送信する。
【００９４】
度数管理部２６は、本実施形態では、利用識別子と対応付けられた通信サービス提供システム１の利用可能度数を管理する度数管理手段を構成する。
【００９５】
具体的には、度数管理部２６は、通話接続部１６から、利用識別子と、公衆電話端末４ならびに通話先の電話番号と、公衆電話端末４と通話先の電話端末との接続を継続した時間データを受信する。
【００９６】
度数管理部２６は、通話接続部１６から受信した情報に基づいて、データベースサーバ３０に記憶されている通信サービス提供システム１の利用可能度数を示す度数データを更新する。なお、本実施形態では、例えば１０円や１００円といった金額を１度数として取り扱うことができる。
【００９７】
また、度数管理部２６は、接続部２５から、利用識別子と、通信機器３とインターネット５とを接続した旨の通知を受信する。
【００９８】
度数管理部２６は、接続部２５から受信した利用識別子と接続の通知に基づいて、データベースサーバ３０に記憶されている通信サービス提供システム１の利用可能度数を示す度数データを更新する。
【００９９】
さらに、度数管理部２６は、通話接続部１６または接続部２５から受信した情報に基づいて、通信料金を算定し、データベースサーバ３０に記憶されている通信料金データを更新することができる。
【０１００】
また、度数管理部２６は、携帯電話端末２または通信機器３とデータ通信を行い、通信機器３からの要求に基づいて利用識別子に対応付けられた利用可能度数の追加を受け付ける機能を有している。度数管理部２６は、受け付けた度数に基づいて、通信料金を算定し、データベースサーバ３０に記憶されている度数データと通信料金データとを更新することができる。
【０１０１】
ユーザ情報取得部２７は、通信機器３からユーザの個人情報を取得し、データベースサーバ３０に登録するものである。ユーザ情報取得部２７は、例えばユーザの氏名、住所、通信サービス提供システム１を利用するためのユーザＩＤ、クレジットカード番号を、通信機器３から接続部２５を介して取得することができる。
【０１０２】
また、ユーザ情報取得部２７によってユーザの個人情報が取得された後においては、ユーザは、通信機器３から情報送受信部２２に対して送信される携帯電話端末２の電話番号に代えて、ユーザＩＤを用いることができる。
【０１０３】
なお、通信機器３と通信サービス提供サーバ２０との間のおける通信には、例えばＨＴＴＰ（Ｈｙｐｅｒｔｅｘｔ　Ｔｒａｎｓｆｅｒ　Ｐｒｏｔｏｃｏｌ）を用いることができる。
【０１０４】
データベースサーバ３０は、ネットワークＩＦ部３１と、データベース制御部３２と、ユーザ情報データベース３３とから構成されている。
【０１０５】
ネットワークＩＦ部３１は、音声自動応答装置１０及び通信サービス提供サーバ２０との間においてＬＡＮ通信を行う機能を有している。また、ネットワークＩＦ部３１は、データベース制御部３２と接続されている。
【０１０６】
ネットワークＩＦ部３１には、例えばＩＥＥＥ８０２．３ｕにおいて規定される１００Ｂａｓｅ−ＴＸや同８０２．３ａｂにおいて規定される１０００Ｂａｓｅ−Ｔ等を用いることができる。
【０１０７】
本実施形態に係るデータベース制御部３２は、音声自動応答装置１０または通信サービス提供サーバ２０からの要求に応じて、ユーザ情報データベース３３の管理を行うものである。具体的には、データベース制御部３２は、ユーザ情報データベース３３に対するデータの書込みならびに読出しに対する制御や、音声自動応答装置１０または通信サービス提供サーバ２０から逐次送信されるトランザクションの制御等を行うことができる。
【０１０８】
また、データベース制御部３２は、ユーザ情報データベース３３に記憶されているクレジットカード番号や通信料金データを与信管理サーバ６０との間で送受する機能を有している。
【０１０９】
ユーザ情報データベース３３は、本実施形態では、携帯電話端末２の電話番号と、利用識別子と、パスワードとを対応付けて記憶する情報記憶手段を構成する。
【０１１０】
図３は、本実施形態に係るユーザ情報データベース３３の構成例を示す図である。
【０１１１】
「電話番号」列は、情報受信登録部１３が、携帯電話端末２から受信した携帯電話端末２の電話番号を登録するものである。なお、電話番号に基づく契約情報からユーザを特定できる電話端末であれば、例えば一般加入電話端末７１であってもよく、図３に示すように、固定電話端末の電話番号（０４５−ｚｚｚ−ｚｚｚｚ）も記憶することができる。
【０１１２】
「利用識別子」列は、情報受信登録部１３が、携帯電話端末２から受信した利用識別子を記憶するものである。
【０１１３】
「パスワード」列は、情報受信登録部１３が、携帯電話端末２から受信したパスワードを記憶するものである。
【０１１４】
なお、「利用識別子」ならびに「パスワード」は、携帯電話端末２から入力されることを考慮し、本実施形態では数字のみを入力できるようになっている。また、「利用識別子」または「パスワード」列には、通信サービス提供システム１の提供者が、予め所定の数字列を記憶させてもよい。
【０１１５】
「度数」列は、通信サービス提供システム１の利用可能度数を記憶するものである。
【０１１６】
「通信料金」列は、通信サービス提供システム１の利用または利用可能度数の追加に伴う通信料金を記憶するものである。
【０１１７】
「ユーザ情報１、２、３」は、ユーザ情報取得部２７が、通信機器３から取得したユーザの個人情報を記憶するものである。
【０１１８】
「ユーザ情報４」（クレジットカード番号）は、情報受信登録部１３が、携帯電話端末２から受信したクレジットカード番号を記憶するものである。
【０１１９】
また、本実施形態に係るユーザ情報データベース３３は、通信機器３と無線ＬＡＮ基地局５１との間において通信を行うために必要な無線ＬＡＮ設定情報（ＥＳＳ−ＩＤ・ＷＥＰキー等）を記憶する機能を有している。
【０１２０】
（本実施形態に係る通信サービス提供システムによる通信サービス提供方法）
次に、本実施形態に係る通信サービス提供システム１による通信サービス提供方法について説明する。
【０１２１】
図４は、通信サービス提供システム１に対して個人情報を登録していないユーザが、無線ＬＡＮサービスを利用する場合のシーケンス図を示している。
【０１２２】
まず、ユーザは、携帯電話端末２により、所定の電話番号に発呼し、任意の利用識別子ならびにパスワードと、ユーザのクレジットカード番号とを音声自動応答装置１０に送信する（Ｓ４０１）。
【０１２３】
音声自動応答装置１０は、発信者番号通知によって通知された携帯電話端末２の電話番号と、利用識別子と、パスワードと、クレジットカード番号とをデータベースサーバ３０に登録する（Ｓ４０３）。
【０１２４】
データベースサーバ３０は、当該クレジットカード番号を与信管理サーバ６０に送信する（Ｓ４０５ａ）。与信管理サーバ６０は、当該クレジットカード番号が有効であるか否かをデータベースサーバ３０に送信する（Ｓ４０５ｂ）。なお、データベースサーバ３０は、当該クレジットカード番号が無効である場合には、記憶した電話番号と、利用識別子と、パスワードと、当該クレジットカード番号を消去する。
【０１２５】
データベースサーバ３０は、携帯電話端末２の電話番号と、利用識別子と、パスワードと、クレジットカード番号との登録が完了したことを音声自動応答装置１０に通知する（Ｓ４０７）。
【０１２６】
音声自動応答装置１０は、通信機器３と無線ＬＡＮ基地局５１との間において通信を行うために必要な無線ＬＡＮ設定情報（ＥＳＳ−ＩＤ・ＷＥＰキー等）をデータベースサーバ３０に問合せる（Ｓ４０９ａ）。データベースサーバ３０は、所定の無線ＬＡＮ設定情報を音声自動応答装置１０に送信する（Ｓ４０９ｂ）。
【０１２７】
音声自動応答装置１０は、データベースサーバ３０から受信した無線ＬＡＮ設定情報をトーキーによって携帯電話端末２に送信する（Ｓ４１１）。
【０１２８】
ユーザは、受信した無線ＬＡＮ設定情報に基づいて、通信機器３に対して当該無線ＬＡＮ情報を設定する（Ｓ４１３）。
【０１２９】
次いで、ユーザは、店舗６において通信機器３により、ステップＳ４０１において用いた携帯電話端末２の電話番号を送信する（Ｓ４１５）。
【０１３０】
通信サービス提供サーバ２０は、受信した電話番号に対応付けられている利用識別子をデータベースサーバ３０に問合せる（Ｓ４１７ａ）。データベースサーバ３０は、ステップＳ４０３において登録された当該電話番号と対応付けられている利用識別子を通信サービス提供サーバ２０に送信する（Ｓ４１７ｂ）。
【０１３１】
通信サービス提供サーバ２０は、データベースサーバ３０から受信した利用識別子を通信機器３に送信する（Ｓ４１９）。
【０１３２】
ユーザは、通信機器３によって受信された利用識別子と、ステップＳ４０１において送信された利用識別子とが一致することを確認し、当該利用識別子と対応付けているパスワードを通信機器３により通信サービス提供サーバ２０に送信する（Ｓ４２１）。
【０１３３】
通信サービス提供サーバ２０は、ステップＳ４１９において送信された利用識別子と対応付けられているパスワードをデータベースサーバ３０に問合せる（Ｓ４２３ａ）。データベースサーバ３０は、当該利用識別子に対応付けられているパスワードを通信サービス提供サーバ２０に送信する（Ｓ４２３ｂ）。
【０１３４】
通信サービス提供サーバ２０は、ステップＳ４２１において通信機器３から受信したパスワードと、ステップＳ４２３ｂにおいてデータベースサーバ３０から受信したパスワードを照合する（Ｓ４２５）。次いで、通信サービス提供サーバ２０は、ステップＳ４２５におけるパスワードの照合の結果が一致した場合には、通信機器３を一意に識別できる機器識別子（Ｃｏｏｋｉｅ）を通信機器３に送信する（Ｓ４２７）。さらに、通信サービス提供サーバ２０は、ユーザの氏名、住所、ユーザＩＤ等の個人情報の入力を通信機器３に要求する（Ｓ４２９）。
【０１３５】
ユーザは、通信サービス提供サーバ２０からの要求に基づいて通信機器３により所定の個人情報を通信サービス提供サーバ２０に送信する（Ｓ４３１）。
【０１３６】
通信サービス提供サーバ２０は、通信機器３から受信したユーザの個人情報をデータベースサーバ３０に登録する（Ｓ４３３）。次いで、通信サービス提供サーバ２０は、通信機器３とインターネット５とを接続し、通信機器３とインターネット５との間において通信が開始される（Ｓ４３５）。
【０１３７】
通信サービス提供サーバ２０は、ステップＳ４３５における接続に伴う通信料金を算定する（Ｓ４３７）。次いで、通信サービス提供サーバ２０は、当該利用識別子と対応付けられてデータベースサーバ３０に記憶されている通信料金データを更新する（Ｓ４３９）。
【０１３８】
データベースサーバ３０は、当該利用識別子に対応付けられているユーザのクレジットカード番号と、当該通信料金データとを与信管理サーバ６０に送信する（Ｓ４４１）。
【０１３９】
図４に示したような通信サービス提供システム１による通信サービス提供方法を用いることにより、携帯電話端末２の契約情報に基づいてユーザを特定することが可能となる。これにより、無線ＬＡＮを介したネットワーク上での不法行為が行われた場合における当該行為者の追及が可能となるとともに、通信サービス提供システム１の提供者に予め個人情報を登録していないユーザに対しても無線ＬＡＮサービスを提供することができる。
【０１４０】
また、無線ＬＡＮサービスでは、通信機器３と無線ＬＡＮ基地局５１との間において送受される情報の盗聴を防止するため、当該情報は、ＩＥＥＥ８０２．１１において規定されるＷＥＰ（Ｗｉｒｅ　Ｅｑｕｉｖａｌｅｎｔ　Ｐｒｉｖａｃｙ）により暗号化されるのが一般的である。しかしながら、擬似の無線ＬＡＮ基地局５３は、通信機器３と無線ＬＡＮ基地局５１との間において最初に実行されるＷＥＰによる暗号化鍵の交換の工程から盗聴することが可能なため、擬似の無線ＬＡＮ基地局５３による盗聴を完全には防止できないことが問題となる。
【０１４１】
このような問題に対し、図４に示した通信サービス提供方法では、ステップＳ４１９において通信サービス提供サーバ２０が利用識別子を通信機器３に対して送信し、ステップＳ４２１においてユーザが通信機器３によりパスワードを送信する。従って、利用識別子が通信サービス提供サーバ２０から送信されるため、擬似の無線ＬＡＮ基地局５３によって盗聴することが不可能であり、無線ＬＡＮサービスの利用に必要な利用識別子とパスワードとを合わせて盗聴される危険を回避することができる。
【０１４２】
図５は、利用識別子とパスワードとを表示する情報表示媒体を用いて、ユーザが無線ＬＡＮサービスを利用する場合のシーケンス図を示している。
【０１４３】
なお、利用識別子とパスワードとを表示する情報表示媒体には、例えば擦ることにより利用識別子とパスワードとが印字された部分を表示させることのできる紙片、いわゆるスクラッチカードを用いることができる。
【０１４４】
また、スクラッチカードに代えて、利用識別子とパスワードとを記憶したＩＣカード等の情報出力媒体を用いてもよい。この場合、携帯電話端末２ならびに通信機器３は、ＩＣカードに記憶された利用識別子とパスワードとを読み取るＩＣカード読取機能を具備する。
【０１４５】
まず、ユーザは、携帯電話端末２により、所定の電話番号に発呼し、スクラッチカードに表示されている利用識別子を音声自動応答装置１０に送信する（Ｓ５０１）。
【０１４６】
音声自動応答装置１０は、発信者番号通知により通知された携帯電話端末２の電話番号をデータベースサーバ３０に登録するとともに、携帯電話端末２から受信した利用識別子をデータベースサーバ３０に問合せる（Ｓ５０３）。
【０１４７】
データベースサーバ３０は、音声自動応答装置１０から受信した利用識別子が、データベースサーバ３０に記憶されていることを確認し、携帯電話端末２の電話番号の登録が完了したことを音声自動応答装置１０に通知する（Ｓ５０５）。なお、データベースサーバ３０は、音声自動応答装置１０から受信した利用識別子が、データベースサーバ３０に記憶されていない場合には、音声自動応答装置１０による携帯電話端末２の電話番号の登録が不可である旨を通知する。
【０１４８】
音声自動応答装置１０は、通信機器３と無線ＬＡＮ基地局５１との間において通信を行うために必要な無線ＬＡＮ設定情報（ＥＳＳ−ＩＤ・ＷＥＰキー等）をデータベースサーバ３０に問合せる（Ｓ５０７ａ）。データベースサーバ３０は、所定の無線ＬＡＮ設定情報を音声自動応答装置１０に送信する（Ｓ５０７ｂ）。
【０１４９】
音声自動応答装置１０は、データベースサーバ３０から受信した無線ＬＡＮ設定情報をトーキーによって携帯電話端末２に送信する（Ｓ５０９）。
【０１５０】
ユーザは、受信した無線ＬＡＮ設定情報に基づいて、通信機器３に対して当該無線ＬＡＮ情報を設定する（Ｓ５１１）。
【０１５１】
次いで、ユーザは、店舗６において通信機器３により、ステップＳ５０１において用いた携帯電話端末２の電話番号を送信する（Ｓ５１３）。
【０１５２】
通信サービス提供サーバ２０は、受信した電話番号に対応付けられている利用識別子をデータベースサーバ３０に問合せる（Ｓ５１５ａ）。データベースサーバ３０は、ステップＳ５０３において登録された当該電話番号と対応付けられている利用識別子を通信サービス提供サーバ２０に送信する（Ｓ５１５ｂ）。
【０１５３】
通信サービス提供サーバ２０は、データベースサーバ３０から受信した利用識別子を通信機器３に送信する（Ｓ５１７）。
【０１５４】
ユーザは、通信機器３によって受信された利用識別子と、ステップＳ４０１において送信された利用識別子とが一致することを確認し、スクラッチカードに表示されているパスワードを通信機器３により通信サービス提供サーバ２０に送信する（Ｓ５１９）。
【０１５５】
通信サービス提供サーバ２０は、ステップＳ５１７において送信された利用識別子と対応付けられているパスワードをデータベースサーバ３０に問合せる（Ｓ５２１ａ）。データベースサーバ３０は、当該利用識別子に対応付けられているパスワードを通信サービス提供サーバ２０に送信する（Ｓ５２１ｂ）。
【０１５６】
通信サービス提供サーバ２０は、ステップＳ５１９において通信機器３から受信したパスワードと、ステップＳ５２１ｂにおいてデータベースサーバ３０から受信したパスワードを照合する（Ｓ５２３）。次いで、通信サービス提供サーバ２０は、ステップＳ５２３におけるパスワードの照合の結果が一致した場合には、通信機器３を一意に識別できる機器識別子（Ｃｏｏｋｉｅ）を通信機器３に送信する（Ｓ５２５）。
【０１５７】
通信サービス提供サーバ２０は、通信機器３とインターネット５とを接続し、通信機器３とインターネット５との間において通信が開始される（Ｓ５２７）。
【０１５８】
通信サービス提供サーバ２０は、ステップＳ５１７において通信機器３に送信した利用識別子と対応付けられている度数データをデータベースサーバ３０に問合せる（Ｓ５２９ａ）。
【０１５９】
データベースサーバ３０は、当該利用識別子に対応付けられている度数データを通信サービス提供サーバ２０に送信する（Ｓ５２９ｂ）。
【０１６０】
通信サービス提供サーバ２０は、受信した度数のデータから、ステップＳ５２７における接続に伴い必要となる度数を減少する（Ｓ５３１）。次いで、通信サービス提供サーバ２０は、データベースサーバ３０に記憶されている度数データを更新する（Ｓ５３３）。
【０１６１】
図５に示したような通信サービス提供システム１による通信サービス提供方法を用いることにより、ユーザに配付されたスクラッチカードによって、無線ＬＡＮサービスの利用をユーザに対して効果的に促すことができる。
【０１６２】
また、店舗６で販売される商品や提供される役務と合わせて上述スクラッチカードをユーザに配付することにより、店舗６による売上げや店舗６の利用率の向上に寄与することができる。さらに、上述したスクラッチカードは、他の通信サービスの提供者が提供する通信サービスが利用可能なプリペイドカードとしても利用できるようにしてもよい。
【０１６３】
図６は、図５におけるステップＳ５２５において、機器識別子（Ｃｏｏｋｉｅ）を受信した通信機器３が、あらためて通信サービス提供システム１を利用する場合のシーケンス図である。
【０１６４】
まず、通信機器３は、店舗６において、通信機器３に保存されている機器識別子（Ｃｏｏｋｉｅ）を通信サービス提供サーバ２０に送信する（Ｓ６０１）。
【０１６５】
通信サービス提供サーバ２０は、通信機器３から受信した機器識別子と、通信サービス提供サーバ２０に保存されている機器識別子を照合する（Ｓ６０３）。次いで、通信サービス提供サーバ２０は、ステップＳ６０３における機器識別子の照合の結果が一致した場合には、新たに機器識別子を生成し、この新たな機器識別子を通信機器３に送信する（Ｓ６０５）。
【０１６６】
さらに、通信サービス提供サーバ２０は、通信機器３とインターネット５とを接続し、通信機器３とインターネット５との間において通信が開始される（Ｓ６０７）。
【０１６７】
通信サービス提供サーバ２０は、通信機器３から受信した機器識別子と対応付けられて通信サービス提供サーバ２０に記憶されている利用識別子を選択し、当該利用識別子と対応付けられている度数データをデータベースサーバ３０に問合せる（Ｓ６０９）。
【０１６８】
データベースサーバ３０は、当該利用識別子に対応付けられている度数データを通信サービス提供サーバ２０に送信する（Ｓ６１１）。
【０１６９】
通信サービス提供サーバ２０は、受信した度数のデータから、ステップＳ６０７における接続に伴い必要となる度数を減少する（Ｓ６１３）。次いで、通信サービス提供サーバ２０は、データベースサーバ３０に記憶されている度数データを更新する（Ｓ６１５）。
【０１７０】
図６に示したような通信サービス提供システム１による通信サービス提供方法を用いることにより、通信機器３と通信サービス提供サーバ２０との間のおいて、利用識別子ならびにパスワードを送受する機会を低減させることができる。これにより、店舗６を利用する他のユーザ等に利用識別子やパスワードを盗み見られる危険を低減することができる。
【０１７１】
図７は、利用識別子とパスワードとを表示する情報表示媒体（スクラッチカード）を用いて、ユーザが公衆電話端末４により電話サービスを利用する場合のシーケンス図を示している。
【０１７２】
まず、ユーザは、公衆電話端末４により、所定の電話番号に発呼し、スクラッチカードに表示されている利用識別子ならびにパスワードを音声自動応答装置１０に送信する（Ｓ７０１）。
【０１７３】
音声自動応答装置１０は、受信した利用識別子に対応付けられて記憶されているパスワードをデータベースサーバ３０に問合せる（Ｓ７０３ａ）。データベースサーバ３０は、当該利用識別子に対応付けられているパスワードを音声自動応答装置１０に送信する（Ｓ７０３ｂ）。
【０１７４】
音声自動応答装置１０は、ステップＳ７０１において公衆電話端末４から受信したパスワードと、ステップＳ７０３ｂにおいてデータベースサーバ３０から受信したパスワードを照合する（Ｓ７０５）。次いで、音声自動応答装置１０は、ステップＳ７０５におけるパスワードの照合の結果が一致した場合には、通話先の電話番号の送信を要求するトーキーを公衆電話端末４に送信する（Ｓ７０７）。
【０１７５】
ユーザは、公衆電話端末４により、一般加入電話端末７１の電話番号を音声自動応答装置１０に送信する（Ｓ７０９）。
【０１７６】
音声自動応答装置１０は、受信した一般加入電話端末７１の電話番号に基づいて、公衆電話端末４と一般加入電話端末７１とを接続する（Ｓ７１１）。
【０１７７】
音声自動応答装置１０は、公衆電話端末４または一般加入電話端末７１からの要求により、公衆電話端末４と一般加入電話端末７１との接続を切断する（Ｓ７１３）。次いで、音声自動応答装置１０は、公衆電話端末４から受信した利用識別子と、公衆電話端末４の電話番号と、通話先の電話番号と、ステップＳ７１１からステップＳ７１３までの経過時間（接続の継続時間）とを通信サービス提供サーバ２０に送信する（Ｓ７１５）。
【０１７８】
通信サービス提供サーバ２０は、音声自動応答装置１０から受信した利用識別子と対応付けられている度数データをデータベースサーバ３０に問合せる（Ｓ７１７ａ）。データベースサーバ３０は、当該利用識別子に対応付けられている度数データを通信サービス提供サーバ２０に送信する（Ｓ７１７ｂ）。
【０１７９】
通信サービス提供サーバ２０は、受信した度数のデータから、ステップＳ７１１における接続に伴い必要となる度数を算定し、その度数を減少する（Ｓ７１９）。次いで、通信サービス提供サーバ２０は、データベースサーバ３０に記憶されている度数データを更新する（Ｓ７２１）。
【０１８０】
図８は、通信機器３を用いて、利用識別子に対応付けられて管理されている通信サービス提供システム１の利用可能度数を追加する場合のシーケンス図である。
【０１８１】
まず、ユーザは、通信機器３により、図４に示したステップＳ４３１において登録したユーザＩＤを通信サービス提供サーバ２０に送信する（Ｓ８０１）。なお、通信機器３と通信サービス提供サーバ２０とは通信サービス網５０またはインターネット５を介して接続することができる。
【０１８２】
通信サービス提供サーバ２０は、ユーザＩＤに対応付けられている度数データをデータベースサーバ３０に問合せる（Ｓ８０３ａ）。データベースサーバ３０は、当該ユーザＩＤに対応付けられている度数データを通信サービス提供サーバ２０に送信する（Ｓ８０３ｂ）。
【０１８３】
通信サービス提供サーバ２０は、受信した度数データを通信機器３に送信する（Ｓ８０５）。
【０１８４】
ユーザは、受信した度数データを確認し、追加を希望する度数を通信サービス提供サーバ２０に送信する（Ｓ８０７）。
【０１８５】
通信サービス提供サーバ２０は、受信した追加を希望する度数から通信料金を算定し、当該ユーザＩＤと対応付けられてデータベースサーバ３０に記憶されている通信料金データを更新する（Ｓ８０９）。
【０１８６】
データベースサーバ３０は、当該ユーザＩＤに対応付けられているユーザのクレジットカード番号と、当該通信料金データとを与信管理サーバ６０に送信する（Ｓ８１１）。
【０１８７】
データベースサーバ３０は、与信管理サーバ６０への当該通信料金データの送信の処理が完了したことを通信サービス提供サーバ２０に通知する（Ｓ８１３）。
【０１８８】
通信サービス提供サーバ２０は、度数追加の処理が完了したことを通信機器３に送信する（Ｓ８１５）。
【０１８９】
（変更例）
本実施形態に係る通信サービス提供システム１による通信サービス提供方法は、図９に示すような形態を採ることができる。
【０１９０】
図９は、利用識別子とパスワードを表示する情報表示媒体を用いて、ユーザが無線ＬＡＮサービスを利用する場合のシーケンス図を示している。
【０１９１】
まず、ユーザは、店舗６において、通信機器３により、スクラッチカードに表示されている利用識別子とパスワードとを通信サービス提供サーバ２０に送信する（Ｓ９０１）。
【０１９２】
通信サービス提供サーバ２０は、受信した利用識別子に対応付けられているパスワードをデータベースサーバ３０に問合せる（Ｓ９０３ａ）。データベースサーバ３０は、当該利用識別子に対応付けられているパスワードを通信サービス提供サーバ２０に送信する（Ｓ９０３ｂ）。
【０１９３】
通信サービス提供サーバ２０は、ステップＳ９０１において通信機器３から受信したパスワードと、ステップＳ９０３ｂにおいてデータベースサーバ３０から受信したパスワードを照合する（Ｓ９０５）。次いで、通信サービス提供サーバ２０は、ステップＳ９０５におけるパスワードの照合の結果が一致した場合には、通信機器３を一意に識別できる機器識別子（Ｃｏｏｋｉｅ）を通信機器３に送信する（Ｓ９０７）。
【０１９４】
通信サービス提供サーバ２０は、通信機器３とインターネット５とを接続し、通信機器３とインターネット５との間において通信が開始される（Ｓ９０９）。
【０１９５】
通信サービス提供サーバ２０は、通信機器３から受信した利用識別子と対応付けられている度数データをデータベースサーバ３０に問合せる（Ｓ９１１ａ）。
【０１９６】
データベースサーバ３０は、当該利用識別子に対応付けられている度数データを通信サービス提供サーバ２０に送信する（Ｓ９１１ｂ）。
【０１９７】
通信サービス提供サーバ２０は、受信した度数のデータから、ステップＳ９０９における接続に伴い必要となる度数を減少する（Ｓ９１３）。次いで、通信サービス提供サーバ２０は、データベースサーバ３０に記憶されている度数データを更新する（Ｓ９１５）。
【０１９８】
（通信サービス提供システム及び通信サービス提供方法による効果・作用）
本実施形態に係る通信サービス提供システム及び通信サービス提供方法によれば、携帯電話端末２の契約情報に基づいてユーザを特定することが可能となるため、当該契約情報に基づいて、無線ＬＡＮを介したネットワーク上での不法行為が行われた場合における当該行為者を追及することができる。さらに、携帯電話端末２の契約情報に基づいてユーザを特定することが可能となるため、通信サービス提供システム１の提供者に予め個人情報を登録していないユーザに対しても無線ＬＡＮサービスを提供することができる。
【０１９９】
本実施形態では、携帯電話端末２が、ユーザのクレジットカード番号を含めて通信サービス提供システム１に送信するため、通信サービス提供システム１は、盗聴の危険がある無線ＬＡＮを利用せずにユーザのクレジットカード番号を取得することができる。
【０２００】
本実施形態では、通信サービス提供サーバ２０が利用識別子を通信機器３に対して送信し、ユーザが当該利用識別子に対応付けられたパスワードを通信機器３により送信する。従って、通信サービス提供サーバ２０から送信される利用識別子を、擬似の無線ＬＡＮ基地局５３によって盗聴することが不可能となり、無線ＬＡＮサービスの利用に必要な利用識別子とパスワードとを合わせて盗聴される危険を回避することができる。
【０２０１】
本実施形態では、ユーザに利用識別子とパスワードを表示するスクラッチカードを配付するため、無線ＬＡＮサービスの利用をユーザに対して効果的に促すことができる。さらに、店舗６で販売される商品や提供される役務と合わせて上述スクラッチカードをユーザに配付することにより、店舗６による売上げや店舗６の利用率の向上に寄与することができる。
【０２０２】
本実施形態では、同一の利用識別子とパスワードを利用して、無線ＬＡＮサービスと電話サービスを利用することができるため、ユーザに対する通信サービスの利便性の向上に寄与することができる。
【０２０３】
本実施形態では、通信機器３と通信サービス提供サーバ２０との間のおいて、通信機器３を一意に識別できる機器識別子を用いて利用識別子ならびにパスワードを送受する機会を低減するため、店舗６を利用する他のユーザ等に利用識別子やパスワードを盗み見られる危険を低減することができる。
【０２０４】
【発明の効果】
以上説明したように本発明によれば、利用識別子ならびに暗証番号情報や個人情報等の盗聴を回避する無線ＬＡＮサービスを提供するとともに、当該無線ＬＡＮサービスが提供される店舗等の利用率の向上に寄与することのできる通信サービスを提供することができる。
【図面の簡単な説明】
【図１】本発明の実施形態に係る通信サービス提供システムを含むネットワークの全体構成を示す図である。
【図２】本発明の実施形態に係る通信サービス提供システムのブロック構成を示す図である。
【図３】本実施形態に係る通信サービス提供システムのデータベース構成例を示す図である。
【図４】本実施形態に係る通信サービス提供方法のシーケンスを示す図である。
【図５】本実施形態に係る通信サービス提供方法のシーケンスを示す図である。
【図６】本実施形態に係る通信サービス提供方法のシーケンスを示す図である。
【図７】本実施形態に係る通信サービス提供方法のシーケンスを示す図である。
【図８】本実施形態に係る通信サービス提供方法のシーケンスを示す図である。
【図９】本実施形態に係る通信サービス提供方法のシーケンスを示す図である。
【符号の説明】
１…通信サービス提供システム、　２…携帯電話端末、　３…通信機器、　４…公衆電話端末、　５…インターネット、　６…店舗、　１０…音声自動応答装置、　１１…ネットワークＩＦ部、　１２…回線ＩＦ部、　１３…情報受信登録部、　１４…設定情報通知部、　１５…通話接続許可部、　１６…通話接続部、　２０…通信サービス提供サーバ、　２１…ネットワークＩＦ部、　２２…情報送受信部、　２３…ネットワーク接続許可部、　２４…機器識別子送信部、　２５…接続部、　２６…度数管理部、　２７…ユーザ情報取得部、３０…データベースサーバ、　３１…ネットワークＩＦ部、　３２…データベース制御部、　３３…ユーザ情報データベース　４０…携帯電話網、　５０…通信サービス網、　６０…与信管理サーバ、　７０…電話網、　７１…一般加入電話端末
【図１】
2004128890.tif 000003
【図２】
2004128890.tif 000004
【図３】
2004128890.tif 000005
【図４】
2004128890.tif 000006
【図５】
2004128890.tif 000007
【図６】
2004128890.tif 000008
【図７】
2004128890.tif 000009
【図８】
2004128890.tif 000010
【図９】
2004128890.tif 000011